(57)【要約】【課題】  送出しコンベアと、該送出しコンベアより搬送幅の広い受取りコンベアとの間で、搬送方向に対して直交する方向に一列に整列して搬送されている搬送対象物品の移載を効率的に行うこと。【課題解決手段】  送出しコンベアの搬送路の出口より内側の下方に搬送路の入口が配設される第１コンベアと、該送出しコンベアの搬送路の出口より内側と該第１コンベアの搬送路入口より内側とが上面視で重なり合う領域内に回動軸を有する第１回動装置と、該第１コンベアの搬送路出口より内側の下方に搬送路の入口が配設される第２コンベアと、該第１コンベアの搬送路の出口より内側と該第２コンベアの搬送路入口より内側とが上面視で重なり合う領域内に回動軸を有する第２回動装置とを設け、該第２コンベアの搬送路の出口より下方に受取りコンベアを配する事で、該送出しコンベアから該受取りコンベアへの効率的な物品の移載を可能とした。【選択図】図１
2014105069.tif 000002
【特許請求の範囲】
【請求項１】
送出しコンベアから搬送される物品を、該送出しコンベアより搬送路の幅が広く形成された受取りコンベアに移載する物品の移載装置であって、
前記送出しコンベアの搬送路の出口より内側の下方に搬送路の入口が配設され、前記送出しコンベアから搬送対象とされる物品を載置して搬送する第１コンベアと、
前記送出しコンベアの搬送路の出口より内側と前記第１コンベアの搬送路入口より内側とが上面視で重なり合う領域内に第１回動軸を有し、前記第１コンベアを水平方向に回動させる第１回動装置と、
前記第１コンベアの搬送路出口より内側の下方に搬送路の入口が配設され、前記第１コンベアから搬送される該物品を載置して搬送する第２コンベアと、
前記第１コンベアの搬送路の出口より内側と前記第２コンベアの搬送路入口より内側とが上面視で重なり合う領域内に第２回動軸を有し、該第２コンベアを水平方向に回動させる第２回動装置とからなることを特徴とする物品の移載装置。
【請求項２】
前記第１コンベアの搬送路の出口には前記物品の前記第２コンベアへの移載を検出する第１排出センサが設けられ、前記第２コンベアの搬送路の出口には前記物品の前記受取りコンベアへの移載を検出する第２排出センサが設けられており、前記第１コンベア及び前記第２コンベアの搬送速度を可変とするとともに、前記第１回動装置と前記第２回動装置の動作速度及び回動角度を可変とし、該第１排出センサと該第２排出センサによる前記物品の位置情報に基づいて、前記第１コンベア及び前記第２コンベアの搬送速度と前記第１回動装置と前記第２回動装置の動作速度及び回動角を制御する制御部とを備えた、請求項１に記載の物品の移載装置。
【請求項３】
送出しコンベアから搬送される物品を、該送出しコンベアより搬送路の幅が広く形成された受取りコンベアに移載する物品の移載方法であって、
前記第１コンベアにより複数の物品が搬送される場合に、前記第１コンベアの搬送路の搬送方向と前記第２コンベアの搬送路の搬送方向とを平行としておき、前記第１コンベアから前記第２コンベアに前記複数の物品が移載された後に前記第２コンベアの搬送路と前記第２回動装置とを駆動させる事を特徴とする、請求項1又は請求項２に記載された物品の移載装置を用いた物品の移載方法。
【発明の詳細な説明】
【技術分野】
【０００１】
本発明は、搬送幅の異なるベルトコンベア等の搬送装置間で物品の受け渡しを行う移載装置に関するものであり、更に言えば、送出しベルトコンベアと、当該送出しベルトコンベアとは搬送速度が異なり更に搬送幅の広い受取りベルトコンベアとの間で、搬送方向に対して直交する方向に一列に整列して搬送されている搬送対象物品の移載を、当該直交する方向に一列に整列したまま連続的に行う移載装置及び移載方法に関するものである。
【背景技術】
【０００２】
物品に対する加工などの処理を複数の装置で順番に行う場合には、当該複数の装置で行われる当該物品に対する処理の速度や一度に処理できる当該物品の数は一般的には各装置毎に異なっている。そのため、こうした各装置間での当該物品の移動をベルトコンベアなどの搬送装置で行う場合、当該各装置間のベルトコンベアの速度や搬送幅などを異なるものとし、当該物品に対する処理の流れが円滑に進行するように調整されている。
【０００３】
例えば、物品に対する一つの処理の処理時間が短い一の処理装置と、当該一の処理装置よりも処理時間は長いが同時に多数の物品の処理が可能な他の一の処理装置とが連続している場合などには、当該一の処理を終えた物品が送出しベルトコンベア上に載置され、次の工程を担う他の一の処理装置に属する受取りベルトコンベアに搬送される場合、当該送出しベルトコンベア上に載置される物品列の幅よりも当該受取りベルトコンベア上に載置可能な物品列の幅が大きい場合がある。そしてそのような場合には、当該送出しベルトコンベア上に載置された物品列を当該受取りベルトコンベア上に振り分けて載置する必要がある。
【０００４】
具体的な例を挙げると、例えば、アイスクリームの製造工程間で行われる物品の移動がある。アイスクリームの製造工程では、アイスクリームの充填機から硬化トンネルへと硬化前アイスクリームを充填済みの容器の移動が行われるが、当該硬化前アイスクリームを充填済みの容器を硬化トンネルを通過させるために用いるベルトコンベアは、充填機から送り出される当該硬化前アイスクリームを充填済みの容器を搬送するベルトコンベアと比較して、一般的には幅の広いものが用いられる。
【０００５】
そのため、充填機からの搬送に用いられるベルトコンベアの搬送速度は硬化トンネルの搬送ベルトコンベアの搬送速度よりも速いものの、搬送幅は当該硬化トンネルのベルトコンベア幅よりも狭く構成されているため、当該幅の狭いベルトコンベア上に載置された物品列を当該幅の広いベルトコンベアに移し替える必要があった。
【０００６】
そこで、従来はこうした硬化前アイスクリームを充填済みの容器の、充填機から硬化トンネルへの移載には、充填機から送り出される当該容器を搬送する送出しベルトコンベアと、硬化装置への当該容器の搬送を行う受取りベルトコンベアとの間に、長尺の中間フレームを備えた移載装置を用いていた。そして当該移載装置では、当該中間フレームに、一旦充填機から送出しベルトコンベアにより搬送される当該容器の容器列を移載し、これを数回繰り返すことによって、中間フレームに移載された当該容器列の幅が、硬化トンネルに搬送される受取りベルトコンベアの搬送幅に適合する幅に揃ってから受取りベルトコンベアに移載するという手順により当該容器の移載を行っていた。
【０００７】
すなわち、具体的には図６（a）に示すように、充填機Ｆから搬送される硬化前アイスクリームを充填済みの容器列Ｗ´は搬送路の進行方向に対して直交する方向には概ね一列となって、搬送ベルトコンベアＣ１´上に載置されている。（なお、同図中のそれぞれの矢印は各ベルトコンベアの搬送方向を示している。）そして、当該充填機Ｆから搬送ベルトコンベアＣ１´によって搬送された当該硬化前アイスクリームを充填済みの容器列Ｗ´は、図６（b）に示すように、一旦当該搬送ベルトコンベアＣ１´から移載装置本体（図示しない）に設けられた間欠的に平行移動する中間フレームmに順次移し替えられていた。当該中間フレームmは図６（c）の矢印Ｉで示すように、搬送ベルトコンベアＣ1´の進行方向に対して直交する方向に平行移動するものであり、搬送ベルトコンベアＣ1´からシュータＳ１を介して送られた当該充填済みの容器列Ｗ´を受け取ると順次当該中間フレームmに設けられた空き空間を当該シュータS1の下に来るように平行移動して、当該充填容器列Ｗ´を受け取るという手順を繰り返し、そして図６（d）に示すように、当該中間フレームmに硬化トンネルHへの搬送を行うベルトコンベアＣ2´の幅に適合する程度の容器列Ｗ´の幅が形成された場合に、図６（e）に示すように、硬化トンネルＨのベルトコンベアＣ２´にシュータＳ２を介して当該充填容器列Ｗ´を移載するという工程を繰り返していた。
【０００８】
しかし、このような移戴装置の場合には、次のような欠点があった。例えば、充填機Ｆから送り出された充填済みの容器列Ｗ´を一旦中間フレームｍに移し変えるため、当該充填済みの硬化前アイスクリームの容器列Ｗ´を硬化トンネルＨへ直接送り込む事ができず、硬化トンネルＨに送り込まれるまでに待ち時間があった。そのため、当該待ち時間中に硬化前アイスクリーム中の氷結晶の成長が進行するか乃至は硬化前アイスクリームの溶化が進行し、品質の低下を招いていた。また、当該待ち時間は、充填機Ｆから送り出された容器列Ｗ´毎に異なるため、硬化トンネルＨに送り込まれるまでに当該列毎に待ち時間が異なる結果となり、製品の均質性を向上する上で問題があった。
【０００９】
一方、このように、狭い幅のコンベアから広い幅のコンベアに物品を並び替える装置として、先行技術文献１に開示されている振分コンベアがある。
【先行技術文献】
【特許文献】
【００１０】
【特許文献１】特開平１０−１０９７４０号公報
【発明の概要】
【発明が解決しようとする課題】
【００１１】
しかし、上記先行技術文献１に開示されている振分コンベアは、幅狭なベルトコンベアを有し前工程から搬送されてきた複数の製品を一列状態で搬送する単列コンベアから、下方の多列コンベアに並べ替えるものである。そのため、単列ではなく、送出しベルトコンベアに複数の物品がコンベアの搬送方向に対して直交する方向に一列に配列されている場合の移し替えについては対応できるものではなかった。
【００１２】
また、上記先行技術文献１に開示されている振分コンベアは、単列コンベアからの移し替えを前提とするものである。そのため、送出しベルトコンベアから受取りベルトコンベアに物品を移し替える場合には、当該送出しベルトコンベアに複数の物品がコンベアの搬送方向に対して直交する方向に一列に配列されている場合に、その方向を維持したまま、当該複数の物品を、そのまま当該受取りベルトコンベアの搬送方向に直交する方向に一列に整列したまま移し替える事ができるものでもなかった。
【００１３】
そのため、従来技術には、送出しベルトコンベアから、それよりも搬送幅の広い受取りベルトコンベアに物品を移し替える場合に、待ち時間を要すること無く連続的に複数の物品を当該受取りベルトコンベアの搬送方向に対して直交する方向に一列に整列したまま移載する事について、解決すべき課題があった。
【課題を解決するための手段】
【００１４】
そこで、上記課題を解決するために本発明は、送出しコンベアから搬送される物品を、該送出しコンベアより搬送路の幅が広く形成された受取りコンベアに移載する物品の移載装置であって、前記送出しコンベアの搬送路の出口より内側の下方に搬送路の入口が配設され、前記送出しコンベアから搬送対象とされる物品を載置して搬送する第１コンベアと、
前記送出しコンベアの搬送路の出口より内側と前記第１コンベアの搬送路入口より内側とが上面視で重なり合う領域内に第１回動軸を有し、前記第１コンベアを水平方向に回動させる第１回動装置と、前記第１コンベアの搬送路出口より内側の下方に搬送路の入口が配設され、前記第１コンベアから搬送される該物品を載置して搬送する第２コンベアと、前記第１コンベアの搬送路の出口より内側と前記第２コンベアの搬送路入口より内側とが上面視で重なり合う領域内に第２回動軸を有し、該第２コンベアを水平方向に回動させる第２回動装置とからなることを特徴とする。
【００１５】
また本発明による上記課題の解決は、前記第１コンベアの搬送路の出口には前記物品の前記第２コンベアへの移載を検出する第１排出センサが設けられ、前記第２コンベアの搬送路の出口には前記物品の前記受取りコンベアへの移載を検出する第２排出センサが設けられており、前記第１コンベア及び前記第２コンベアの搬送速度を可変とするとともに、前記第１回動装置と前記第２回動装置の動作速度及び回動角度を可変とし、該第１排出センサと該第２排出センサによる前記物品の位置情報に基づいて、前記第１コンベア及び前記第２コンベアの搬送速度と前記第１回動装置と前記第２回動装置の動作速度及び回動角を制御する制御部とを備えることにより更に効果的に達成される。
【００１６】
また本発明による上記課題の解決は、前記第１コンベアにより複数の物品が搬送される場合に、前記第１コンベアの搬送路の搬送方向と前記第２コンベアの搬送路の搬送方向とを平行としておき、前記第1コンベアから前記第2コンベアに前記複数の物品が移載された後に前記第2コンベアの搬送路と前記第2回動装置とを駆動させる事を特徴とする、前記物品の移載装置を用いた物品の移載方法により効果的に達成される。
【発明の効果】
【００１７】
本発明の物品の移載装置によれば、送出しベルトコンベア上を搬送路の搬送方向に対して直交する方向に一列毎に整列して搬送されている複数の物品を、該送出しベルトコンベアとは搬送速度が異なり、該送出しベルトコンベアよりも搬送幅の広い受取りベルトコンベアに移し替える場合に、待ち時間を要すること無く連続的に、当該複数の物品を当該受取りベルトコンベアの搬送方向に対して直交する方向に一列に整列したまま移載する事が可能である。更に、当該物品により構成される列に多少の乱れがある場合であっても、当該受取りベルトコンベアに対して、一直線状に整列した状態で物品を移載する事が可能である。
【図面の簡単な説明】
【００１８】
【図１】本発明の物品の移載装置Ｔの実施形態の概略を示す斜視図である。
【図２】本発明の物品の移載装置Ｔの実施形態の概略を示す側面図である。
【図３】本発明の実施形態の基本動作を示す説明図（平面図）である。
【図４】本実施形態において、受取りベルトコンベアの搬送領域を区分した場合に、当該区分に応じて、本発明の第１ベルトコンベアと第２ベルトコンベアとが回動する方向を示す説明図（平面図）である。
【図５】本実施形態において、送出しベルトコンベアと本発明の第１ベルトコンベアの双方の搬送路がなす角度により、該送出しベルトコンベアから移載された物品列が、該第１ベルトコンベアの搬送路となす角度を表示した説明図（平面図）である。
【図６】従来用いられていた移載装置の動作を示す説明図（平面図）である。
【発明を実施するための形態】
【００１９】
以下本発明の移載装置Ｔの実施形態の構成を図面に基づいて説明する。
【００２０】
図1は本発明の物品の移載装置Ｔの実施形態の概略を示す斜視図であり、図２は本発明の移載装置Ｔの実施形態の概略を示す側面図である。
【００２１】
本発明の移載装置Ｔは、全体構成を図１に示すように、第１ベルトコンベアＮ１と、当該第１ベルトコンベアＮ１の搬送路出口（同図の右側方向）の下方に搬送路入口をむけて設けられた第２ベルトコンベアＮ２と、当該第１ベルトコンベアＮ１の搬送路入口（同図の左側方向）の下方に設けられた第１回動装置Ｒ１と、当該第１ベルトコンベアＮ１の搬送路出口と当該第２ベルトコンベアＮ２の搬送路入口（同図の左側方向）とが上面視で重なり合う領域の下方に設けられた第２回動装置Ｒ２とを主要な構成要素としている。
【００２２】
そして、本発明の移載装置Ｔは、図２に示すように、物品処理装置Ａの送出しベルトコンベアＣ１と物品処理装置Ｂの受取りベルトコンベアＣ２との間に配設され、本発明の移載装置Ｔの第１ベルトコンベアＮ１の搬送路入口（同図の左側方向）は、物品処理装置Ａの送出しベルトコンベアＣ１の搬送路出口の下方に配設され、本発明の移載装置Ｔの第２ベルトコンベアＮ２の搬送路出口（同図の右側方向）は、対象物品列Ｗを移載する際に、物品処理装置Ｂの受取りベルトコンベアＣ２の搬送路入口の上方に来るように配設される。
【００２３】
そのため、物品処理装置Ａから送出された物品列Ｗは、送出しベルトコンベアＣ１から、本願発明の移載装置Ｔの第１ベルトコンベアＮ１と第２ベルトコンベアＮ２を経由して、受取りベルトコンベアＣ２に移載され、物品処理装置Ｂへと送られる。
【００２４】
以下これを更に詳述する。
【００２５】
図２中のＣ１は物品ｗを搬送する送出しベルトコンベアであり、該送出しベルトコンベアＣ１で搬送される物品ｗは複数個を一ショットとして前工程の物品処理装置Ａから搬送方向に直交する方向に一列となって送り出されている。なおここで、本発明の移載装置Ｔをアイスクリームの製造装置に用いる場合は、当該物品処理装置Ａはアイスクリームの充填機などが想定される。
【００２６】
図１及び図２中のＮ１は本発明の移載装置Ｔを構成する第１ベルトコンベアである。該第１ベルトコンべアＮ１は、図２中では左側にある送出しベルトコンベアＣ１から、シュータＳＣを介して搬送された物品ｗを受け取って、同じく本発明の移載装置Ｔを構成する第２ベルトコンベアＮ２へ、シュータＳ１を介して搬送する機能を有すると共に、首振り動作（回動）を行うものであり、該第１ベルトコンベアＮ１の搬送路の搬送速度は、停止状態を含む可変となっている。また、該第１ベルトコンベアＮ１の搬送路の入口（図２中では左側）の近くの下方には、該搬送路の入口近くの該搬送路の搬送幅の中間位置に設けられた第１回動軸ＲＣ１を中心として、該第１ベルトコンベアＮ１を回動させる第１回動装置Ｒ１が設けられている。該第１回動装置Ｒ１は該第１回動軸ＲＣ１を中心として該第１ベルトコンベアＮ１の搬送路の出口側を水平方向に回動させることにより、該第１ベルトコンベアＮ１に接続された該第２ベルトコンベアＮ２の搬送路出口側の端部を、受取りベルトコンベアＣ２の搬送路の幅方向の一端方向から他端方向へ対向させる。そして該第１回動装置Ｒ１の該第１回動軸ＲＣ１は該第１ベルトコンベアＮ１の搬送路の入口から搬送路のやや内側にあると同時に、該送出しベルトコンベアＣ１の搬送路出口側の端部からやや内側にあり、上記回動装置Ｒ１により上記第１ベルトコンベアＮ１が回動した場合でも、該送出しベルトコンベアＣ１の搬送路の出口側の端部が、上記第１ベルトコンベアＮ１の搬送路入口側の端部から搬送路内側に位置するように配設され、互いに干渉することなく該送出しベルトコンベアＣ１と該第１ベルトコンベアＮ１間とで搬送路の連続性が保たれるように設定されている。
【００２７】
また、該第１ベルトコンベアＮ１の搬送路の出口付近には第１物品排出センサＤ１が設けられている。該第１物品排出センサＤ１は、搬送された物品ｗが上記第１ベルトコンベアＮ１の搬送路から上記第２ベルトコンベアＮ２の搬送路に排出（移載）されたかどうか等の位置情報を検出するものであり、光センサなどのセンシングデバイスにより構成されている。
【００２８】
また、該第１ベルトコンベアＮ１の側面には、該第１ベルトコンベアＮ１の搬送路の駆動と該第１ベルトコンベアＮ１全体の制御とを行う第１駆動・制御部Ｍ１が設けられている。
【００２９】
図１及び図２中のＮ２は、上記でも言及した本発明の移載装置Ｔを構成する第２ベルトコンベアである。該第２ベルトコンベアＮ２は、上記第１ベルトコンベアＮ１により搬送される物品ｗをシュータＳ１を介して移載して搬送し、首振り動作（回動）を行い、受取りベルトコンベアＣ２にシュータＳ２を介して移載するものであり、該第２ベルトコンベアＮ２搬送路出口側の端部は該受取りベルトコンベアＣ２の搬送路入口のやや内側に来るように配設される。該第２ベルトコンベアＮ２は搬送路の搬送速度が前記第１ベルトコンベアＮ１と同様に停止状態を含む可変となっている。そして、前記第１ベルトコンベアＮ１と同様に該第２ベルトコンベアＮ２の搬送路の入口（図では左側）の近くの下方には、該搬送路の入口近くに設けられた第２回動軸ＲＣ２を中心として該第２ベルトコンベアＮ２を回動させる第２回動装置Ｒ２が設けられている。該第２回動装置Ｒ２は該第２ベルトコンベアＮ２の搬送路の出口側を水平方向に回動させ、該第２ベルトコンベアＮ２の搬送路の出口側の端部を該受取りベルトコンベアＣ２の搬送路の入口側端部に対して平行に対向させるものである。（ただし、該第２ベルトコンベアＮ２の搬送路の出口側の端部は、該端部が回動しても、受取りベルトコンベアＣ２の搬送路の内側に来るように調整されている。）そして該第２回動装置Ｒ２の該回動軸ＲＣ２は、該第２ベルトコンベアＮ２の搬送路の入口からやや内側にあると同時に、前記第１ベルトコンベアＮ１の搬送路の出口からやや内側にあり、該第２回動装置Ｒ２により該第２ベルトコンベアＮ２が回動した場合でも、該第１ベルトコンベアＮ１の搬送路の出口側の端部が、該第２ベルトコンベアＮ２の搬送路入口の端部から搬送路内側に位置するようにされ、該第１ベルトコンベアＮ１と該第２ベルトコンベアＮ２との間で搬送路の連続性が保たれるように設定されている。また、該第２ベルトコンベアＮ２と該第１ベルトコンベアＮ１は該第２回動装置Ｒ２を介して接続されており、該第２回動装置Ｒ２の下部には、該第１回動装置Ｒ１と該第２回動装置Ｒ２の回動動作による移動を補助し、該第１及び該第２ベルトコンベア（Ｎ１，Ｎ２）の荷重を支持するための脚部Ｌが設けられている。また、前記第１ベルトコンベアＮ１と同様に、該第２ベルトコンベアＮ２の搬送路の出口付近には第２物品排出センサＤ２が設けられている。該第２物品排出センサＤ２は搬送された物品ｗが前記第２ベルトコンベアＮ２の搬送路から前記受取りベルトコンベアＣ２の搬送路に排出（移載）されたかどうか等の位置情報を検出するものであり、前記第１ベルトコンベアＮ１に設けられているものと同様に、光センサなどのセンシングデバイスにより構成されている。
【００３０】
また、該第２ベルトコンベアＮ２の側面には、該第２ベルトコンベアＮ２の搬送路の駆動と該第２ベルトコンベアＮ２全体の制御とを行う第２駆動・制御部Ｍ２が設けられている。
【００３１】
そして、該受取りベルトコンベアＣ２の搬送路に移載された物品列Ｗは次の物品処理装置Ｂへと送り込まれる。
【００３２】
次に、上記の構成を有する本発明の移載装置Ｔによる、送出しベルトコンベアＣ１からの物品列Ｗの受け取りから、受取りベルトコンベアＣ２への当該物品列Ｗの受け渡しまでの基本動作を図３に示した動作説明図により説明する。
【００３３】
図３(a)は本願発明に係る移載装置Ｔに、物品処理装置Ａから供給された物品列Ｗが送出しベルトコンベアＣ１により搬送されて、本願発明を構成する第１ベルトコンベアＮ１に当該物品列Ｗが搬送される直前の状態を示した上面図である。（なお、図３では説明に必要の無い部分は適宜省略し、図中の矢印は物品列Ｗを示すものを除き、各ベルトコンベアの搬送方向を示している。）同図では物品処理装置Ａからは１ショットあたり４個の物品ｗが送り出され、これらの物品ｗは送出しベルトコンベアＣ１の搬送路の搬送方向に対して直交する方向に一列の物品列Ｗとして配設されており、該送出しベルトコンベアＣ１の搬送路の出口付近まで搬送されている。そしてこの時、該第１ベルトコンベアＮ１は当該物品列Ｗを移載しようとする受取りベルトコンベアＣ２の搬送路の幅方向のうちの、後述する一部の領域の方向を向いており、当該第１ベルトコンベアに接続された本願発明の第２ベルトコンベアＮ２の搬送路は、該第１ベルトコンベアＮ１の搬送路と平行な方向に向けられている。
【００３４】
なお、ここで、本実施形態では、図４に示すように、受取りベルトコンベアＣ２の搬送路上の搬送路に直交する方向の領域をＣ２a、Ｃ２b、Ｃ２cの３つに区分している。そして、上記送出しベルトコンベアＣ１と上記受取りベルトコンベアＣ２の搬送方向を同一と設定し、その搬送方向を同図中の矢印Ｙで示した場合、該第１ベルトコンベアＮ１の搬送路の搬送方向が該矢印Ｙとなす角度をθ°とした場合には図４（a）のように、物品列Ｗの移載をＣ２aの領域に行い、該第１ベルトコンベアＮ１の搬送路の搬送方向が該矢印Ｙとなす角度を０°とした場合には図４（b）のように、物品列Ｗの移載をＣ２ｂの領域に行い、該第１ベルトコンベアＮ１の搬送路の搬送方向が該矢印Ｙとなす角度を−θ°とした場合には図４（ｃ）のように、物品列Ｗの移載をＣ２ｃの領域に行う事としている。そのため、上記図３（a）の場合には、該第１ベルトコンベアＮ１は上記受取りベルトコンベアＣ２のうち図４におけるＣ２aの領域を向いた状態を示していることになる。そしてこの後、該送出しベルトコンベアＣ１上を搬送された物品列Ｗは、該送出しベルトコンベアＣ１の搬送路の動きにより、該送出しベルトコンベアＣ１から本願発明の該第１ベルトコンベアＮ１に移載される。
【００３５】
図３（b）はこうして当該物品列Ｗが送出しベルトコンベアＣ１から本願発明の第１ベルトコンベアＮ１に移載された直後の状態を示したものである。このように、上記第１ベルトコンベアＮ１の搬送路は、上記送出しベルトコンベアＣ１の搬送路とは平行でないため、物品列Ｗは第１ベルトコンベアＮ１の搬送路の方向とは傾斜して載置されている。したがって、図５に示すように、第１ベルトコンベアＮ１の搬送路の出口を向ける方向により、物品列Ｗは第１ベルトコンベアＮ１の搬送路の搬送方向に対して傾斜して載置されることになり、該第１ベルトコンベアＮ１が、ベルトコンベアＣ１乃至Ｃ２の搬送路の搬送方向に対し、θ°の時は同図中のα、０°の時は同図中のβ、−θ°の時は同図中のγ、の方向を向くことになる。しかし、本願発明では、物品列Ｗがどのような方向を向いているか、又は、個々の物品ｗが一直線上に無く乱れた列を形成した状態で上記送出しベルトコンベアＣ１から送られた場合であっても、最終的には、上記第２ベルトコンベアＮ２の動作により、上記受取りベルトコンベアＣ２に対して、搬送路の搬送方向に対して直交する方向に一直線状に一列に物品を移載する事が可能である。
【００３６】
図３（b）に戻って説明を続けると、このように上記第１ベルトコンベアＮ１に移載された物品列Ｗは、該第１ベルトコンベアＮ１の搬送路の動きにより該第１ベルトコンベアＮ１上を平行移動して上記第２ベルトコンベアＮ２方向へ搬送され、図３（ｃ）に示すように、物品列Ｗを構成する物品ｗの最初の一つが上記第１ベルトコンベアＮ１の搬送路の出口側の端部に到達し、これらの該物品列Ｗを構成する各物品ｗは順次本願発明を構成する上記第２ベルトコンベアＮ２に移載される。
【００３７】
この際、該第２ベルトコンベアＮ２は、該物品列Ｗを構成する該物品ｗの移載が終わるまでは搬送路の稼働を停止させており、該第１ベルトコンベアＮ１の搬送路の出口部に設けられた上記第１物品排出センサＤ１により該物品列Ｗを構成する全物品が該第２ベルトコンベアＮ２に移載されたことを確認した後で、該第２ベルトコンベアＮ２の搬送路を作動させる。
【００３８】
該第２ベルトコンベアＮ２の作動をこのように行うのは、物品列Ｗの整列を行うためである。すなわち、本願発明を構成する上記第１ベルトコンベアＮ１は物品を移載する上記受取りベルトコンベアＣ２の搬送路の幅方向に対して、水平方向に回動するものであるため、上記送出しベルトコンベアＣ１から物品ｗの移載を受ける際には、上述の図４乃至図５で示したように該送出しベルトコンベアＣ１の搬送路の搬送方向に対して、平行か若しくは角度θを有した状態にあり、物品列Ｗを該搬送方向に対して直交する状態で受けることができない場合がある。そのため、かかる物品列を搬送路の方向に対して直交する方向に整列させるために、該第２ベルトコンベアＮ２を用いるものであり、これにより、複数の物品ｗが一直線上に無い多少乱雑な列を構成している場合であっても、上記受取りベルトコンベアＣ２に対しては、一直線に整列した状態で、物品列Ｗを移載する事が可能となる。そして、このように上記第２ベルトコンベアＮ２に移載された物品列Ｗは搬送路の搬送方向に対して直交する方向に一列を構成するため、該第２ベルトコンベアＮ２から上記受取りベルトコンベアＣ２に該物品列Ｗを移載する場合には、該第２ベルトコンベアＮ２の搬送路の出口側と該受取りベルトコンベアＣ２の搬送路の出口側を平行に合わせることによって、該受取りベルトコンベアＣ２の搬送路の搬送方向に対して物品列Ｗを直交する方向に整列させた状態で、該物品列Ｗを移載する事が可能となる。
【００３９】
こうして、図３（ｄ）に示すように該第２ベルトコンベアＮ２に物品列Ｗを構成する物品ｗの全てが移載されると、該第２ベルトコンベアＮ２の搬送路と第２回動機構Ｒ２とを順次稼働し、該物品列Ｗを上記受取りベルトコンベアＣ２方向に移動させるとともに、図３（e）に示すように、上記第２回動軸ＲＣ２中心にして搬送路の出口側を上記受取りベルトコンベアＣ２の搬送路の入口側と平行になるように、同図中の矢印Ｋ方向に回動させる。（なお、物品を移載する受取りベルトコンベアＣ２の領域に応じて、第２ベルトコンベアＮ２は、Ｋとは逆方向にも回動可能である。）この際、搬送路上の物品列Ｗが、該第２ベルトコンベアＮ２の回動により上記第１ベルトコンベアＮ１に接触することを防止するために、該第２ベルトコンベアＮ２の搬送路の駆動速度と回転速度とは、該物品列Ｗに影響が無いように同期させ、該物品列Ｗが上記受取りベルトコンベアＣ２に移載される直前に、該第２ベルトコンベアＮ２の搬送路の出口側を上記受取りベルトコンベアのＣ２の搬送路の入口側と平行になるように動作させる。
【００４０】
そして、図３（f）に示すように、該第２ベルトコンベアＮ２から上記受取りベルトコンベアＣ２へ上記物品列Ｗを移載して、上記第２物品排出センサＤ２により上記第２ベルトコンベアＮ２から上記受取りベルトコンベアＣ２への移載を確認し、上記送出しベルトコンベアＣ１から上記受取りベルトコンベアＣ２への物品列の移載を完了させる。そして、その後連続して送出しベルトコンベアＣ１からの移載を行う場合には、新たに物品列Ｗの移載をしようとする受取りベルトコンベアＣ２上の任意の領域に該第１ベルトコンベアＮ１の搬送路の出口方向を向け、上記と同様の手順を繰り返して、新たな物品ｗの移載を行こととなる。
【００４１】
なお、上記実施の形態では、一つの物品列Ｗを中心に説明した。しかし、上記物品処理装置Ａから送られる物品列Ｗは順次送られてくるものであるため、制御タイミングを調整する事により、送出しベルトコンベアＣ１から第１ベルトコンベアＮ１に一つの物品列Ｗが搬送され、当該一つの物品列Ｗが、受取りベルトコンベアＣ２に移載される前であっても、次の物品列を本発明の移載装置Ｔに受け入れて搬送する事も可能である。
【００４２】
また、本発明は上記実施形態に限定されること無く、本発明の技術思想を逸脱しない範囲で種々の改変が可能である。
【００４３】
例えば、上記実施例では、本願の第１ベルトコンベアＮ１を受取りベルトコンベアＣ２の搬送路のうちの幅方向の任意の領域に向けてから、送出しベルトコンベアＣ１から該第１ベルトコンベアＮ１へ物品ｗの移載を行っている。しかし、該送出しベルトコンベアＣ１と該第１ベルトコンベアＮ１との搬送路を平行にしてから該送出しベルトコンベアＣ１から該第１ベルトコンベアＮ１へ物品の移載を行い、その後該第１ベルトコンベアＮ１を、該受取りベルトコンベアＣ２の搬送路の幅方向うちの任意の領域に向ける手順とする事も可能である。この場合は、該第１ベルトコンベアＮ１の搬送路を稼働させた状態で、該送出しベルトコンベアＣ１から該第１ベルトコンベアＮ１へ物品の移載を行い、移載が行われた後で、該第１ベルトコンベアＮ１に設けられた第１回動装置Ｒ１を動作させ、かかる回動動作の途中で、搬送中の物品列Ｗが送出しベルトコンベアＣ１に接触しないように搬送速度と回動角度を調整して動作させる。そして、その上で、該第１ベルトコンベアＮ１から第２ベルトコンベアＮ２に物品を搬送し、上記と同様の手順により物品列Ｗを受取りベルトコンベアＣ２へ移載することも可能である。なお、このように送出しベルトコンベアＣ１から第１ベルトコンベアＮ１へ物品ｗを移載する場合等には、該送出しベルトコンベアＣ１の搬送路の出口側付近に該物品ｗの位置情報を検出する第３物品排出センサＤ３を用いる構成とする事も可能である。
【００４４】
また、本実施形態では、第１駆動・制御部Ｍ１と第２駆動・制御部Ｍ２とは別個に設けているが、少なくとも制御部については別個に設ける構成としない事も可能である。また、第１回動機構Ｒ１と第２回動機構Ｒ２の駆動源は必ずしも物理的に別個に設ける必要はなく、共用する事も可能である。
【００４５】
更に、本実施形態ではベルトコンベアを用いたが、チェーンコンベアやローラコンベア等、移載する物品に応じて任意の形式のコンベアを用いる事も可能である。
【符号の説明】
【００４６】
Ｔ  移載装置
Ｃ１  送出しベルトコンベア
Ｃ２  受取りベルトコンベア
Ｎ１  第１ベルトコンベア
Ｎ２  第２ベルトコンベア
Ｍ１  第１駆動・制御部
Ｍ２  第２駆動・制御部
ｗ  物品
Ｗ  物品列
Ａ、Ｂ  物品処理装置
ＲＣ１  第１回動軸
ＲＣ２  第２回動軸
Ｒ１  第１回動装置
Ｒ２  第２回動装置
Ｄ１  第１物品排出センサ
Ｄ２  第２物品排出センサ
Ｄ３  第３物品排出センサ
Ｌ  脚部
Ｆ  充填機
Ｗ´  容器列
Ｃ１´、Ｃ２´  搬送ベルトコンベア
m  中間フレーム
Ｓ、Ｓ１、Ｓ２、ＳＣ、Ｓ１、Ｓ２  シュータ
Ｈ  硬化トンネル
Ｉ、Ｙ  搬送方向を示す矢印
Ｋ  回動方向を示す矢印
【図２】
2014105069.tif 000003
【図３】
2014105069.tif 000004
【図４】
2014105069.tif 000005
【図５】
2014105069.tif 000006
【図６】
2014105069.tif 000007
【図１】
2014105069.tif 000008